(57)【要約】【課題】支柱の内側に設けた最下段の予備苗載台を退避機構によって退避作動を簡単にすると共に、肥料タンクの上方に広い肥料供給スペースを形成して、肥料タンクへの肥料供給作業を行い易くすることができる移植機を提供する。【解決手段】走行機体４の左右に肥料タンク２ａを搭載し、該肥料タンク２ａの外側に立設される支柱３０の内側と外側に予備苗載台３１を複数段に所定間隔を隔てて配置した予備苗載台装置２を設けた移植機であって、支柱３０の内側に配置する下から２段目の予備苗載台３１を、肥料タンク２ａの上端部から肥料供給空間Ｈを隔てて配置すると共に、最下段の予備苗載台３１ａを支柱３０に退避機構３５を介して肥料タンク２ａの供給口２ｂの上方から退避させ、肥料タンク２ａに肥料を供給する退避姿勢に切換可能に取付支持する構成とした。【選択図】図３
2007006790.tif 000002
【特許請求の範囲】
【請求項１】
走行機体（４）の左右に肥料タンク（２ａ）を搭載し、該肥料タンク（２ａ）の外側に立設される支柱（３０）の内側と外側に予備苗載台（３１）を複数段に所定間隔を隔てて配置した予備苗載台装置（２）を設けた移植機において、支柱（３０）の内側に配置する下から２段目の予備苗載台（３１）を、肥料タンク（２ａ）の上端部から肥料供給空間（Ｈ）を隔てて配置すると共に、最下段の予備苗載台（３１ａ）を支柱（３０）に退避機構（３５）を介して肥料タンク（２ａ）の供給口（２ｂ）の上方から退避させ、肥料タンク（２ａ）に肥料を供給する退避姿勢に切換可能に取付支持する移植機。
【請求項２】
支柱（３０）の内側に配置する最下段の予備苗載台（３１ａ）を前記退避姿勢に切換位置させるに、前記支柱（３０）の外側に配置する最下段の予備苗載台（３１ｂ）と下から２段目の予備苗載台（３１）との間に、前記所定間隔を隔てて位置させる請求項１記載の移植機。
【発明の詳細な説明】
【技術分野】
【０００１】
本発明は、苗の植付けと施肥を同時に行う移植機の予備苗載台構造に関する。
【背景技術】
【０００２】
従来、苗載台から苗を掻き取り圃場面に植え付ける植付装置と、ペースト状の肥料を収容した肥料タンクを設置し、苗の植付けと同時に施肥を行う乗用型の移植機は、走行機体の前部左右に肥料タンクを搭載し、その外側寄りに立設した支柱に一定の上下間隔を有して複数の予備苗載台を設けた予備苗載台装置（補助苗載台装置）を備えている。
この予備苗載台装置は支柱の内側と外側に４段の予備苗載台を対向させて配置し、且つ内側の最下段の予備苗載台を肥料タンクに近接させた状態で配置している。（例えば、特許文献１。）。
この予備苗載台装置は、支柱を回動させることにより予備苗載台の全体を側方に回動退避させて肥料タンクの上方に肥料供給スペースを形成し、供給口から肥料を供給する構成となっている。
【特許文献１】特開２００２−２９１３１１号公報
【発明の開示】
【発明が解決しようとする課題】
【０００３】
上記特許文献１で示される予備苗載台構造は、支柱の内側と外側に４段の各予備苗載台を対向させ、内側の最下段の予備苗載台を肥料タンクに近接させて配置しているので、予備苗載台装置の重心を低くし移植作業を行うことができる利点がある。然し、肥料供給スペースを形成するとき、全ての予備苗載台の重量に抗して退避作動するので、支柱の回動操作が重くなると共に、支柱を安定回動させるための支持構造が複雑化する等の欠点がある。また支柱を回動させて予備苗載台を退避作動する範囲が制約されるため、肥料タンク上に十分な肥料供給スペースを形成し難い問題もある。
【０００４】
このため支柱及び予備苗載台を回動させない固定型の予備苗載台装置とし、肥料タンクの上方に１段の予備苗載台の設置を省略し、予めこの範囲を予備苗載台非設置空間に形成して肥料供給スペースを設けることもできるが、この場合には高さが制約される支柱に対し、内側に３段の予備苗載台を設け且つ外側に５段の予備苗載台を設けることになるので、支柱の左右バランスが悪化すると共に、外側で最下段となる予備苗載台が低位置になりすぎて、操縦部側からのマット苗の取り出しを行い難くする等の課題がある。
【課題を解決するための手段】
【０００５】
上記課題を解決するために本発明の移植機の予備苗載台構造は、第１に、走行機体４の左右に肥料タンク２ａを搭載し、該肥料タンク２ａの外側に立設される支柱３０の内側と外側に予備苗載台３１を複数段に所定間隔を隔てて配置した予備苗載台装置２を設けた移植機において、支柱３０の内側に配置する下から２段目の予備苗載台３１を、肥料タンク２ａの上端部から肥料供給空間Ｈを隔てて配置すると共に、最下段の予備苗載台３１ａを支柱３０に退避機構３５を介して肥料タンク２ａの供給口２ｂの上方から退避させ、肥料タンク２ａに肥料を供給する退避姿勢に切換可能に取付支持することを特徴としている。  
【０００６】
第２に、支柱３０の内側に配置する最下段の予備苗載台３１ａを前記退避姿勢に切換位置させるに、前記支柱３０の外側に配置する最下段の予備苗載台３１ｂと下から２段目の予備苗載台３１との間に、前記所定間隔を隔てて位置させることを特徴としている。
【発明の効果】
【０００７】
以上のように構成される本発明の移植機によれば、支柱の内側に配置する下から２段目の予備苗載台を肥料タンクの上端部から肥料供給空間を隔てて配置し、最下段の予備苗載台を支柱に退避機構を介して肥料タンクの供給口の上方から退避させることにより、上記予備苗載台を退避機構によって容易に退避作動することができ、また肥料タンクの供給口の上方に広い肥料供給スペースを簡単に形成することができる。そして、肥料タンクへの肥料供給作業を肥料供給スペースを介し予備苗載台に支障されることなく行い易くすることができる。
また上記予備苗載台を退避姿勢にしたとき、肥料タンクの上に略２段分の肥料供給スペースを形成することができると共に、全体の重心を上方にすることなく内側と外側で例えば４段の予備苗載台を同数づつ設けることができ、左右バランスを損なうことのない予備苗載台装置を構成することができる。
【０００８】
支柱の内側に配置する最下段の予備苗載台を、支柱の外側に配置する最下段の予備苗載台と下から２段目の予備苗載台との間に所定間隔を隔てて位置させることにより、肥料タンクの上方に広い肥料供給スペースを簡単に形成することができる。また外側の最下段の予備苗載台を低位に設けて重心を低くし上方に広い予備苗載台非設置空間を形成することができるので、マット苗の取り出しを操縦部側から容易に行うことができる。
【発明を実施するための最良の形態】
【０００９】
本発明の一実施形態を図面に基づいて説明する。図１において符号１は、本発明に係わる予備苗載台構造（予備苗載台装置）２を機体の前部両側に設置される肥料タンク２ａの上方に設けた乗用型の移植機である。
この移植機１は、前輪３及び後輪３ａを備えた走行機体４に、前部にエンジンＥをボンネット５で覆って搭載し、その後方に操縦部６を配置し、腹部に該エンジンＥから駆動されるトランスミッション７と施肥ポンプ８を備え、機体後部に昇降リンク機構９を介して植付装置１０を昇降可能に支持し、植付装置１０による苗の植付けと同時に肥料タンク２ａからペースト状の肥料を繰り出して施肥することができる。
【００１０】
操縦部６は、走行機体４の中間部にフラット状に形成されるデッキ部１１と、該デッキ部１１の前後に配置されるハンドル１２と座席１３とからなり、該座席１３はデッキ部１１の後方中央部に立設した座席フレーム１５の上部に設置される。
このデッキ部１１は前後に、ボンネット５と座席フレーム１５の両外側に沿って、それぞれ歩行移動可能なフラット面となした前側のステップ１６と後側のステップ１７を接続形成している。
【００１１】
植付装置１０は、８条分のマット苗を載置する苗載台１９と、苗載台１９から苗を掻き取って植付ける各植付爪２０，２０・・と、植付時に接地させる複数のフロート２１等から構成される。各フロート２１は複数の施肥ノズル２２を下向きに取付支持している。
肥料タンク２ａ，２ａ内の肥料は、施肥ポンプ８から各施肥管２３を介して繰り出され、各施肥ノズル２２，２２・・から対応する植付爪２０の側方の地中に施肥する構成となっている。また肥料タンク２ａ，２ａは、その上面前部にタンク蓋２ｂによって開閉される肥料供給口を設け、肥料タンク２に対する肥料の供給をステップ１６を利用し畦際から行うことを可能にしている。
【００１２】
上記予備苗載台装置２と肥料タンク２ａは、走行機体４の前部に構成される支持枠２５に共に剛体構造で取付支持されている。この支持枠２５は平面視で逆コ字状に形成され、機体前部において左右の肥料タンク２ａ，２ａの外側に至る長さの前部フレーム２６と、該前部フレーム２６の両側から後方に延長される側部フレーム２７，２７とからなる。
【００１３】
前部フレーム２６は機台フレーム４ａから複数のブラッケット４ｂを介し前部下方位置に取付固定され、且つ側部フレーム２７，２７は中途部の前後を複数の中間支持フレーム２９によって機台フレーム４ａの側部に取付固定して、支持枠２５を機台フレーム４ａに強固に取付固定している。
上記のように剛体構造で取付固定される支持枠２５は、その前部フレーム２６をバンパー枠に兼用することができる。また前部フレーム２６の左右において滑り防止面を有する足掛け部材２８を設けることができ、作業者は低い位置にある足掛け部材２８に足を掛け、後述する肥料供給作業を安定姿勢で行うと共に、ステップ１６への乗降を行い易くすることもできる。
【００１４】
次に予備苗載台装置２の構成について説明する。先ず予備苗載台装置２を支持構成する支柱３０，３０はパイプ杆からなる基部側を、前記支持枠２５の側部フレーム２７，２７の中途部に固定して立設される。そして、支柱３０，３０は上端部に形成した連結部３０ａに、下向きコ字状に形成された連結杆３２を下端を挿入し連結固定される。
さらに、支柱３０，３０の上部を側部フレーム２７，２７の前側から立設した逆Ｌ字状のステー３３，３３によって連結し補強している。また支柱３０，３０は基部側に取付筒３４，３４を設けており、機体格納時等に取り外しされる連結杆３２の下端部を取付筒３４，３４に挿入して支持することができると共に、支柱３０，３０の下部を連結補強することができる。
【００１５】
図３〜図６で示すように実施形態における予備苗載台装置２は、上記のように立設される各支柱３０の内側寄りと外側寄りに、４段となる予備苗載台３１（３１ａ，３１ｂを含む）が後述する所定の配置位置に取付けられる。そして、支柱３０には植付装置１０の苗載台１９に載置されるマット苗の枚数と同じ合計８枚の予備苗載台３１が設けられ、従来のものと同様に左右で１６枚の予備苗載台３１を備えた予備苗載台構造とし、マット苗を予備的に載置し移植作業を行うことができる。
【００１６】
上記支柱３０の内側に設ける４枚の予備苗載台３１は、最下段の予備苗載台３１ａを肥料タンク２ａの上面から、１枚分の予備苗載台３１が設置可能な程度の間隔を空けた状態で、上方に標準的な苗載置用の間隔（苗載台標準間隔）を有して４段に配置される。
支柱３０の外側に設ける４枚の予備苗載台３１は、最下段の予備苗載台３１ｂを肥料タンク２ａに近接した高さ位置となし、前記内側の最下段の予備苗載台３１ａから下側に１枚分程度の苗載台標準間隔（所定間隔）を隔てて配置し、且つ２段目の予備苗載台３１を１枚分の予備苗載台３１が設置可能な間隔（以下単に予備苗載台非設置空間と言う）Ｌを空けた状態で配置し、上方３枚分の予備苗載台３１を前記と同様の苗載台標準間隔を有して３段に配置している。
【００１７】
即ち、以上のように構成した予備苗載台装置２は図３に示すように、支柱３０の内側に配置する下から２段目の予備苗載台３１を、肥料タンク２ａの上端部から肥料供給空間（予備苗載台非設置空間）Ｈを隔てて配置すると共に、最下段の予備苗載台３１ａを支柱３０に後述する退避機構３５を介して肥料タンク２ａの供給口２ｂの上方から退避させ、肥料タンク２ａに肥料を供給する退避姿勢に切換可能に取付支持するようにしている。
そして、内側最下段の予備苗載台３１ａは外側１段目（最下段）の予備苗載台３１ｂと外側２段目の予備苗載台３１との間に形成される予備苗載台非設置空間Ｌ内に退避移動することができ、３段目以上の各予備苗載台３１，３１・・は内外で対となる同位置に対向状に配置している。
【００１８】
また図示例において各予備苗載台３１を支柱３０に取付け支持する予備苗載台取付構造は、支柱３０の内側に設ける最下段の予備苗載台３１ｂａを図６で示すような退避機構３５によって取付支持し、且つ他の各予備苗載台３１は図５で示すような着脱支持機構３６によって取付支持する構成にしている。
【００１９】
上記退避機構３５について説明する。先ず内側最下段の予備苗載台（以下単に可動予備苗載台と言う）３１は、退避機構３５によって図３，図４の実線で示す苗載姿勢から側方に回動させて、前記予備苗載台非設置空間Ｌ内に退避移動させた退避姿勢（肥料供給姿勢）に可逆的に切換移動することができる。
図６で示すように、この退避機構３５は円筒断面の支柱３０の中途部に、左右に可動予備苗載台３１を挿脱可能に取付支持する取付杆３７を突設した筒状の回動杆３９を嵌挿し、該回動杆３９の上下を支柱３０に設けた固定片４０，４１によって回動可能に位置決め支持する構成としている。
【００２０】
これにより回動杆３９に突設した内側の取付杆３７に可動予備苗載台３１を支持し回動杆３９を回動させると、苗載姿勢から退避姿勢へと切換回動させることができる。
尚、４２は可動予備苗載台３１の両姿勢の切換固定を行う際に抜き差しする固定ピンである。また上記取付杆３７は後述する着脱支持機構３６のものと同一であり、回動杆３９に対する可動予備苗載台３１の着脱支持機構３６を同一構造にしている。
【００２１】
次に図５を参照し着脱支持機構３６について説明する。先ず支柱３０は内側と外側の所定位置に、各予備苗載台３１を取付ける取付杆３７を前記回動杆３９のものと同様に突設し、取付杆３７の断面形状を多角形（図示例では６角形としている）に形成している。
図示例の予備苗載台３１は、上記取付杆３７に嵌合させる６角形の取付孔を形成した取付筒４５を有する取付台枠５０と、該取付台枠５０の形状に沿う板状で着脱可能に位置決め載置される苗載板５１とから構成される。
【００２２】
取付台枠５０は取付筒４５を有する縦杆部５２の両端に横杆部５３，５３を突設することにより、平面視でコ字状に形成される。
そして、取付台枠５０は取付筒４５を縦杆部５２の長さの中心から一側に所定距離（重心移動距離）だけずらして固定している。
【００２３】
この構成により図５の矢印で示すように、取付筒４５が後側に配置された状態で取付台枠５０を、該取付筒４５を介して支柱３０の取付杆３７に嵌合させると、多角形の嵌合により予備苗載台３１を略水平姿勢に位置決め支持することができ、且つ予備苗載台３１の重心を前側に位置させることができる。
また上記各予備苗載台３１を各取付杆３７から抜き外したのち反転させると、取付筒４５を前側に位置させて取付けることができ、この取付筒４５を内側と外側の各取付杆３７に差し換えて嵌合させることにより、予備苗載台３１の重心を後側に移動させた状態で支柱３０に設けることができる。
【００２４】
上記構成によれば予備苗載台３１の着脱構造が簡潔な構成になり、また予備苗載台３１の付け替えによって予備苗載台装置２の重心位置を変更し、走行作業時の前後バランスを簡単に調整することができ、安定性のよい走行を行うことができる利点がある。
尚、予備苗載台３１の抜け止め固定は、取付杆３７に挿入された取付筒４５を、取付杆３７側に設ける図示しないボルト等の固定手段によって行うことができる。
【００２５】
以上のように各予備苗載台３１を支柱３０に設ける予備苗載台装置２は、支柱３０の内側と外側に設ける複数段の予備苗載台３１のうち、内側最下段の可動予備苗載台３１を肥料タンク２ａの上端部から所定間隔を隔てた上方に配置し、且つ可動予備苗載台３１を肥料タンク２ａの上方から退避可能にしているので、苗箱を載置した状態においても肥料の供給作業を簡単且つ能率よく行うことができる。
【００２６】
即ち、単一の可動予備苗載台３１は退避機構３５によって支柱３０を中心に軽く回動することができ、外側の最下段の予備苗載台３１ｂと２段目の予備苗載台３１の間で形成される予備苗載台非設置空間Ｌ内に移動させて簡単に切り換えることができる。これにより可動予備苗載台３１は周囲の邪魔になることなく退避姿勢に収納され、且つ内側２段目の予備苗載台３１の高さまで肥料供給空間Ｈを拡大した肥料供給スペースを簡単に形成することができる。
【００２７】
これにより作業者は広く形成された肥料供給スペース内で、露出された状態にあるタンク蓋２ｂを容易に開けることができ、肥料補給具としての容器や肥料補給タンクを供給口に適正に臨ませ、肥料供給作業を能率よく確実に行うことができる。
尚、このとき作業者は、畦側から肥料補給タンクを運んで前記足掛け部材２８或いはステップ１６に足を掛けて、肥料供給作業を安定姿勢で行うことができる。
また可動予備苗載台３１は逆順の作業によって元の苗載姿勢に復帰させ、移植作業を速やかに続行することができる。
【００２８】
この移植作業において予備苗載台装置２は、外側の最下段の予備苗載台３１ｂの上方に形成される予備苗載台非設置空間Ｌに対し、肥料タンク２ａの上に肥料供給空間Ｈを有して設ける可動予備苗載台３１を対向させ、また３段目以上の各予備苗載台３１，３１・・は内外で対となる同位置に対向させるので、２段分の肥料供給空間Ｈを形成するために、予備苗載台３１を従来のものから２段高く上げることなく、１段上げるだけで８枚分のマット苗を載置セットすることができ、重心の上昇を抑えて構成できる等の利点がある。
【００２９】
このとき外側の最下段の予備苗載台３１ｂは低位において重心を低くし走行安定性に寄与すると共に、操縦部６から最も遠い位置となっても上方に広い予備苗載台非設置空間Ｌを形成しているため、マット苗の取り出しを無理な姿勢をとることなく操縦部６側から容易に行うことができる。
【００３０】
尚、図示例の可動予備苗載台３１の退避機構３５は、支柱３０に回動杆３９を回動させる構成としたが、これに限ることなく可動予備苗載台３１を例えば前記苗載姿勢から支柱３０に沿う方向で上方側に移動させることにより、可動予備苗載台３１を退避姿勢に切換支持する機構にすることもできる。
【図面の簡単な説明】
【００３１】
【図１】本発明の予備苗載台装置を備えた移植機の側面図である。
【図２】図１の平面図である。
【図３】図１の移植機の予備苗載台装置の構成を示す正面図である。
【図４】図３の可動予備苗載台の作用を示す平面図である。
【図５】予備苗載台の着脱支持機構の構成及び作用を示す斜視図である。
【図６】退避機構の構成を示す側面図である。
【符号の説明】
【００３２】
１    移植機
２    予備苗載台装置
２ａ  肥料タンク
４    走行機体
３０  支柱
３１  予備苗載台
３５  退避機構
Ｈ    肥料供給空間
Ｌ    予備苗載台非設置空間
【図１】
2007006790.tif 000003
【図２】
2007006790.tif 000004
【図３】
2007006790.tif 000005
【図４】
2007006790.tif 000006
【図５】
2007006790.tif 000007
【図６】
2007006790.tif 000008